(57)【要約】【課題】二穴用のファイル類に綴じ込まれている書類類の中間部より、一時的に外された書類等の散逸防止と再綴じ込みに備えた、綴じ込み穴を揃えるためのファイル綴じ込み用補助具の提供を目的としたものである。【解決手段】長形の板状材を基台１にしたものと、二本の棒状材を二本の支柱２，２としたものよりなり、通常時は基台１に横臥状に収納されている二本の支柱２，２を、使用時には該基台１の定められた二の位置Ａ、Ａに立てた状態にすることができるようにしたことを特徴としたファイル綴じ込み用補助具である。【選択図】    図１
2005096321.tif 000002
【特許請求の範囲】
【請求項１】
長形の板状材を基台１にしたものと、二本の棒状材を二本の支柱２、２としたものよりなり、通常時は基台１に横臥状に収納されている二本の支柱２、２を、使用時には該基台１の定められた二の位置Ａ、Ａに立てた状態にすることができるようにしたことを特徴としたファイル綴じ込み用補助具。
【請求項２】
通常時は基台１ａに横臥状に収納されている二本の支柱２ａ、２ａとなる棒状材を、その二本の支柱２ａ、２ａを立てた状態とする基台１ａの定められた二の位置Ａ、Ａよりそれぞれ内側、または外側、あるいは同方向に向けて基台１ａに一部を連結させた状態で曲げ起こし可能に基台１ａを切り分け、または基台１ａに増して形成すると共に、形成した二本の支柱２ａ、２ａを基台１ａに横臥状に収納できるように形成した請求項１のファイル綴じ込み用補助具。
【請求項３】
通常時は基台１ｂに横臥状に収納されている二本の支柱２ｂ、２ｂとなる棒状材を、その二本の支柱２ｂ、２ｂを立てた状態とする基台１ｂの定められた二の位置Ａ、Ａよりそれぞれ内側、または外側、あるいは同方向に向けて回転可能に支柱２ｂ、２ｂ自身と基台１ｂとに加工をほどこした上で取り付け、または基台１ｂと支柱２ｂ、２ｂとの間にヒンジ類を介して回転可能に取り付けると共に、二本の支柱２ｂ、２ｂを基台１ｂに横臥状に収納できるように形成した請求項１のファイル綴じ込み用補助具。
【請求項４】
通常時は基台１ｃに横臥状に収納されている二本の支柱２ｃ、２ｃとなる棒状材を、その二本の支柱２ｃ、２ｃとなる棒状材の下方に、基台１ｃに立てた状態にするための差し込み部類を含む嵌合部を設けて形成し、一方、二本の支柱２ｃ、２ｃを立てた状態とするための基台１ｃの定められた二の位置には二本の支柱２ｃ、２ｃを立てた状態とするための差し込み穴類を含む嵌合部を設けると共に、二本の支柱２ｃ、２ｃを横臥状に収納できるように形成した請求項１のファイル綴じ込み用補助具。
【請求項５】
基台１に収納されている二本の支柱２、２を立てた状態、または横臥状に収納させた状態とすることに関し、基台１と二本の支柱２、２との連結部にバネ材を用いて支柱２、２を立てた状態、または横臥状に収納させた状態とすることができるようにした請求項２および請求項３のファイル綴じ込み用補助具。
【請求項６】
二本の支柱２、２を立てた状態とする基台１に磁石類を取り付けて、ファイル本体、またはファイル本体以外に収納・保管するための機能を備えさせた請求項１〜５のファイル綴じ込み用補助具。
【請求項７】
二本の支柱２、２を立てた状態とする基台１の一辺に、計測用の目盛りを表示して定規・測定機能をもたせた請求項１〜６のファイル綴じ込み用補助具。
【発明の詳細な説明】
【技術分野】
【０００１】
この発明は穴があけられてファイル類、または綴じ紐類（以下「ファイル類」という）に綴じ込まれている書類やカタログ類、あるいはシート類（以下「書類等」という）を抜き差しするときなど、書類等の移動、または仮置きのために用いるファイル綴じ込み用の補助具に関するものである。
【背景技術】
【０００２】
これまでは穴があけられてファイル類に収納・保管されている書類等を抜き差しするために一時的に外した書類等を綴じ穴を揃えたままで維持・保管（仮置き）するための専用の用具はなかった。そのためにファイル類より外した書類等を再度ファイル類に戻すときには外し置かれた書類等を慎重に綴じ穴を重ね合わせた上でファイル類に戻したり、再度書類等を一枚一枚ファイル類に戻したりして処理していることが多かった。
しかし、これまでも書類等の抜き差し専用の用具とは異なるものの常備されてあれば用いることができる用具として従来より用いられていた綴じ紐を通すための綴じ紐通し用具（下記に参考文献番号を示す）があり、また用いて作業ができるものとしては事務用品である千枚通しなどを用いて外し置かれた書類等の綴じ穴を揃えることもできた。
【特許文献１】特開平11-1085    伝票などの綴込具
【発明の開示】
【発明が解決しようとする課題】
【０００３】
これらの用具、すなわち綴じ紐通し用具の場合には決められた場所での作業が主なために立設された二本の棒状材が常時立設した状態にされていると共に、大きめの安定的な基台に立設されているものが用具としては適しているため用具自身の収納や移動使用には適して無い上に、携帯して使用することに関しては考慮すらされていなかった。また千枚通しなどを用いた場合には外した書類等の維持が不安定なことに加えて危険が伴うこともあるために書類等の抜き差しのために用いるものとしては適さないものであった。
そこで本発明ではファイル類より一時的に外した書類等を揃ったままの状態で維持できることに加えて、使用しない時には邪魔にならないように保管・収納できると共に、携帯使用もできるファイル綴じ込み用の専用の補助具の提供を目的としたものである。
【課題を解決するための手段】
【０００４】
課題を解決するために本発明は次のようなものである。すなわち長形の板状材を基台にしたものと、二本の棒状材（素材そのものが棒状材（管状にて棒状材であるものを含む）、または細長状材（針金状材、板状細長材など）をコイル状に巻き加工して棒状材としたものなど）を二本の支柱としたものよりなり、通常時（使用しないとき）は基台に横臥状に収納されている二本の支柱を、使用時には該基台の定められた二の位置（定められた二の位置とは書類等を綴じ込むために通常用いられている二穴用のパンチ穴の位置をいう）に立てた状態（同方向に並べて立てた状態）にすることができるようにしたことを特徴としたファイル綴じ込み用補助具である。
【０００５】
通常時は基台に横臥状に収納されている二本の支柱となる棒状材を、その二本の支柱を立てた状態とする基台の定められた二の位置よりそれぞれ内側（コと逆向きコの形状（形状例として示す以下同様））、または外側（逆向きコとコの形状）、あるいは同方向（コとコの形状、逆向きコと逆向きコの形状）に向けて基台に一部を連結させた状態で曲げ起こし可能に基台を切り分け、または基台に増して形成すると共に、形成した二本の支柱を基台に横臥状に収納できるように形成した前記に示したファイル綴じ込み用補助具である。
【０００６】
このとき、二本の支柱と基台の双方、または支柱と基台のいずれか一方に凹凸部を含む任意の係合部類を設けて、または後述するバネ材を用いて曲げ起こして立てた支柱をそのままの状態で維持できるようにするものである。また支柱の収納時においても、二本の支柱と基台の双方、または支柱と基台のいずれか一方に凹凸部を含む任意の係合部類を設けて支柱となる二本の棒状材を横臥状に収納維持できるようにするものである。
なを、これより以降に示すファイル綴じ込み用補助具においても、基台に二本の支柱を立てた状態の時、および基台に二本の支柱を収納した時の維持については同様とする。
【０００７】
通常時は基台に横臥状に収納されている二本の支柱となる棒状材を、その二本の支柱を立てた状態とする基台の定められた二の位置よりそれぞれ内側、または外側、あるいは同方向に向けて回転可能に支柱自身と基台とに加工をほどこした上で取り付け、または基台と支柱との間に回転軸、蝶番、ヒンジ類（以下「ヒンジ類」という）を介して回転可能に取り付けると共に、二本の支柱を基台に横臥状に収納できるように形成した前記に示したファイル綴じ込み用補助具である。
【０００８】
通常時は基台に横臥状に収納されている二本の支柱となる棒状材を、その二本の支柱となる棒状材の下方に、基台に立てた状態にするための差し込み部、引っかけ部、はめ合わせ部、ねじ込み部など（以下「差し込み部類」という）を含む嵌合部を設けて形成し、一方、二本の支柱を立てた状態とするための基台の定められた二の位置には、二本の支柱を立てた状態とするための差し込み穴、引っかけ受け部、はめ合わせ受け部、ねじ込み受け部など（以下「差し込み穴類」という）を含む嵌合部を設けると共に、二本の支柱を横臥状に収納できるように形成した前記に示したファイル綴じ込み用補助具である。
【０００９】
上記までに示したファイル綴じ込み用補助具のうち、支柱が連結された状態で基台に収納されている二本の支柱を立てた状態、または横臥状に収納させた状態とすることに関しては、基台と二本の支柱との連結部にバネ材（ヒンジ類にバネ材が取り付けられているものを含む）を用いて基台に収納されている支柱を立てた状態、または横臥状に収納させた状態とすることができるようにしたものでもよい。
【００１０】
基台の定められた二の位置に立てた状態にする二本の支柱は、書類等にあけられた二穴の綴じ込み用の穴に入ることが必須条件となるために通常用いられているパンチ穴の直径以下の太さとすると共に、管状材に棒状材が差し込まれる形状のファイル綴じ用具に適合させたものとする場合には、二本の支柱はファイル綴じ用具に用いられている管状材に差し込むことができる太さとすることが必要である。
【００１１】
上記に示したファイル綴じ込み用補助具には、二本の支柱を立てた状態とする基台に磁石、面ファスナー、スナップ・ホック類、吊り下げ用の穴、フック、紐、吸着盤類（以下「磁石類」という）を取り付け、あるいは形成してファイル本体、またはファイル本体以外に収納・保管ができるようにするための機能を備えさせたものとしてもよい。
【００１２】
さらに上記に示したファイル綴じ込み用補助具には、二本の支柱を立てた状態とする基台の一辺に、計測用の目盛りを表示して定規・測定機能をもたせたものとしてもよい。
【００１３】
これらのファイル綴じ込み用補助具を使用するときには、基台に収納されている二本の支柱を基台の定められた二の位置に立てた状態とした上で、ファイル類より外された書類等をそのままの状態（綴じ込み穴が揃っている状態）を維持しながら書類等にあけられている穴をファイル綴じ込み用補助具の立てられた支柱に差し込み移すものである。
これにより外した書類等はそのままの状態が維持できるために、書類等をファイル類に戻すときにも書類等にあけられた綴じ込み穴が揃った状態で書類等をファイル類に再度綴じ込み収納できるものである。
【発明の効果】
【００１４】
本発明に係るファイル綴じ込み用補助具を使用することにより、ファイル類に綴じ込み収納されている書類等を一時的に抜き差しするために外すときにおいてもファイル類より外した書類等を散逸させることなく、また外した書類等をファイル類に綴じ戻すときにおいても書類等をまとめたままの状態で再度ファイル類に綴じ込み戻すことができるという効果があると共に、本発明の特徴でもある、書類等の綴じ込み穴を差し込むために使用時に立てられていた二本の支柱を、未使用時にはファイル綴じ込み用補助具本体に横臥状に収納できることは、通常時においても危険な状態や他の作業を妨げる状態とはならずにファイル綴じ込み用補助具自身の保管・収納ができることにもなる。
さらに、ファイル綴じ込み用補助具に磁石類が装備されたものであれば、ファイル綴じ込み用補助具自身を書類等が綴じ込み収納されているファイル類に付着・収納させることにより常時ファイル類と共に使用できるという効果もある。
なを、本ファイル綴じ込み用補助具は前述した書類等の抜き差し時のみに用いるだけではなく、舌片状の綴じ具が装備されたファイル類、または綴じ紐を用いての新規の書類等の綴じ込み時においても、従来のように綴じ込む書類等を一枚、ないしは数枚程度に分けてファイル綴じ具の舌片状部、または綴じ紐に通すという手順ではなく、綴じ込もうとする書類等を一時的に本ファイル綴じ込み用補助具に仮まとめをした上で綴じ込もうとするファイル綴じ具の舌片状部、または綴じ紐に通し綴じ込むことができるものである。
【発明を実施するための最良の形態】
【００１５】
本発明を実施するときには、長形の板状材を基台１としたものと、その基台１の定められた二の位置（書類等を綴じ込むために通常用いられている二穴用のパンチ穴の位置）Ａ、Ａに並べて立てた状態とするための二本の棒状材を二本の支柱２、２としたものよりなるもので、使用時にはその二本の支柱２、２を基台１の定められた二の位置Ａ、Ａに立てた状態にすることができるようにした上で、通常時には二本の支柱２、２を基台１に横臥状に収納させることができるようにして形成したファイル綴じ込み用補助具である。
【実施例１】
【００１６】
本発明の実施例１を図１にもとづいて説明する。図１は二本の支柱を基台に一部を連結して形成したファイル綴じ込み用補助具の平面図（ａ）、Ｘ−Ｘ断面図（通常時）（ｂ）、Ｘ−Ｘ断面図（使用時）（ｃ）、および斜視図（ｄ）である。
すなわち、長形の板状材を基台１ａとして用い、その基台１ａには、基台１ａのほぼ中央より長手方向の左右に二本の支柱２ａ、２ａとなる棒状材を立てた状態とするための二の位置Ａ、Ａを定めた上で、その定めた二の位置Ａ、Ａよりそれぞれ内側に向けて基台１ａである板状材を切り込む形状で二本の支柱２ａ、２ａとなる棒状材を基台１ａに一部連結させて曲げ起こし可能に丸棒状に形成すると共に、基台１ａには支柱２ａ、２ａを形成するために切り込んだ切り込み部を利用した開口部を設けて二本の支柱２ａ、２ａの収納部３ａ、３ａとしたものである。
【００１７】
また、基台１ａに一部を連結形成した支柱２ａ、２ａの下部には、使用時の曲げ起こし時にそのままの状態が維持できるようにするための凹状部５、５を、一方、基台１ａには支柱２ａ、２ａ下部に設けた凹状部５、５に嵌合する凸状部４、４を設ける共に、二本の支柱２ａ、２ａを収納するための収納部３ａ、３ａとなる開口部の部分にも収納した支柱２ａ、２ａを横臥状に維持するための止め部６、６、６、６を形成し、さらに基台１ａ裏面部には磁石７、７を取り付けてファイル綴じ込み用補助具自身の収納・保管に備えたものである。
なを、本例における丸棒状とした二本の支柱２ａ、２ａは、分割形成したものを組合せて各一本状の支柱２ａ、２ａとしたものであり、そのための接合部となる部分には凹凸状の嵌合部を設けて組合せ後に各一本状の支柱２ａ、２ａとしたものである。
【００１８】
このファイル綴じ込み用補助具を使用するときには、基台１ａに連結収納されている二本の支柱２ａ、２ａを基台１ａ上に曲げ起こして立てた状態とした上で、ファイル類より外した書類等の綴じ込み穴を二本の支柱２ａ、２ａに差し込み使用するものである。
また、使用後の通常時には二本の支柱２ａ、２ａを基台１ａに設けられている収納部３ａ、３ａに横臥状に収納するものである。
本例に示したファイル綴じ込み用補助具は、二本の支柱２ａ、２ａを収納した後には一枚の長板状となるために、基台１ａ裏面に取り付けられた磁石７、７を用いることによりファイル類に装着されている鉄製ファイル金具に付着させてファイル類本体と常時一体にしておくなり、事務処理備品の鉄製部に付着させて収納・保管できることにもなる。
【実施例２】
【００１９】
本発明の実施例２を図２にもとづいて説明する。図２は二本の支柱を軸材を介して基台に取り付けたファイル綴じ込み用補助具の平面図（ａ）、Ｙ−Ｙ断面図（通常時）（ｂ）、Ｙ−Ｙ断面図（使用時）（ｃ）、および斜視図（ｄ）である。
長形の板状材を基台１ｂとして用い、その基台１ｂには、基台１ｂのほぼ中央より長手方向の左右に二本の支柱２ｂ、２ｂを立てた状態とするための二の位置Ａ、Ａを定めた上で、その定めた二の位置Ａ、Ａ間を開口部にして二本の支柱２ｂ、２ｂとなる棒状材を横臥状に収納するための収納部３ｂとすると共に、定められた二の位置Ａ、Ａには支柱２ｂ、２ｂを回転させて立てた状態とするための軸受け部８、８、８、８とバネ材取り付け補助部１１、１１を形成し、一方、二本の支柱２ｂ、２ｂとなる棒状材には二本の丸棒状材を用い、用いたその二本の丸棒状材の下部には支柱２ｂ、２ｂを回転させて立てた状態とするための軸部９、９、９、９を形成した上で、二本の支柱２ｂ、２ｂが基台１ｂに立てられた状態として作用するバネ材１０、１０を取り付けて基台１ｂに形成された軸受け部８、８、８、８にはめ込み連結させたファイル綴じ込み用補助具である。
なを、支柱２ｂ、２ｂを横臥状に収納する基台１ｂの収納部３ｂには、収納した支柱２ｂ、２ｂがバネ材１０、１０の作用により立ち上がらないようにするための凸部を戻り防止部１２、１２、１２、１２として設けたものである。
また基台１ｂには、基台１ｂの長辺方向の一辺を直線上にした上で計測用の目盛り１３を表示して定規・測定機能を持たせると共に、基台１ｂの一部に円形状の開口部１４を設けて吊り下げ用の紐を通したり、釘やフック類に引っかけることができるようにしてファイル綴じ込み用補助具自身の収納・保管の備えとしたものである。
【００２０】
このファイル綴じ込み用補助具を使用するときには、基台１ｂに回転可能に連結されて横臥状に収納されている二本の支柱２ｂ、２ｂを、収納部３ｂに設けられている戻り防止部１２、１２、１２、１２より外すことにより二本の支柱２ｂ、２ｂは軸部９，９に取り付けられているバネ材１０、１０の作用で基台１ｂの二の位置Ａ、Ａに立てた状態となり使用可能となるものである。
二本の支柱２ｂ、２ｂの収納においては、バネ材１０、１０の作用により立てられた状態が維持される二本の支柱２ｂ、２ｂを収納部３ｂに設けられている戻り防止部１２、１２、１２、１２の作用する位置まで倒して横臥状を維持するように収納するものである。
また、本ファイル綴じ込み用補助具は定規や計測具としても使用できるものである。
【実施例３】
【００２１】
本発明の実施例３を図３にもとづいて説明する。図３は基台に分離収納されている支柱を、基台上に立てた状態にできるようにしたファイル綴じ込み用補助具の平面図（ａ）、Ｚ−Ｚ断面図（通常時）（ｂ）、Ｚ−Ｚ断面図（使用時）（ｃ）、および斜視図（ｄ）である。
長形の板状材を基台１ｃとして用い、その基台１ｃには、基台１ｃのほぼ中央より長手方向の左右に二本の支柱２ｃ、２ｃとなる棒状材を立てた状態とするための二の位置Ａ、Ａを定めた上で、その定めた二の位置Ａ、Ａには、支柱２ｃ、２ｃとなる棒状材を差し込み立てるための差し込み穴１５、１５を支柱２ｃ、２ｃが抜け出さない形状（開口部の上方部より下方部を小さめとした）として形成すると共に、二本の支柱２ｃ、２ｃを横臥状に収納するための開口部を収納部３ｃとしての設け、一方、二本の支柱２ｃ、２ｃとなる棒状材は丸棒状とし、その丸棒状とした支柱２ｃ、２ｃ下部には基台１ｃ上に立てた状態とするための差し込み部１６、１６を基台１ｃに設けた差し込み穴１５、１５に嵌合する形状として形成したファイル綴じ込み用補助具である。
また、本ファイル綴じ込み用補助具には、基台１ｃ裏面部に面ファスナー１７、１７を取り付けてファイル綴じ込み用補助具自身の収納・保管のための備えとしたものである。
【００２２】
このファイル綴じ込み用補助具を使用するときには、基台１ｃに収納されている二本の支柱２ｃ、２ｃを収納部３ｃより取り外した上で、その基台１ｃ上の定められた二の位置Ａ、Ａに設けられている支柱２ｃ、２ｃの差し込み穴１５、１５に差し込み立てて使用するものである。
また、使用後には基台１ｃ上に立てられた支柱２ｃ、２ｃを抜き取り、基台１ｃに設けられた収納部３ｃに横臥状に収納するものである。
なを、本ファイル綴じ込み用補助具は、基台１ｃ裏面部に取り付けられた面ファスナー１７、１７を用いることによりファイル本体、または任意の場所に本ファイル綴じ込み用補助具自身を収納・保管することができるものである。
【産業上の利用可能性】
【００２３】
通常の産業活動時において、書類等が綴じ込み収納されているファイル類を用いた作業や打ち合わせ、または営業活動などで常時に行われているファイル類よりの書類等の抜き差し作業に関しては、本発明に係わるファイル綴じ込み用補助具は書類等の散逸防止や書類等の再綴じ込み作業には簡便で有効な用具としての利用価値が期待できるものである。
【図面の簡単な説明】
【００２４】
【図１】（ａ）は二本の支柱を基台に一部を連結して形成したファイル綴じ込み              用補助具の平面図、（ｂ）は同じくＸ−Ｘ断面図（通常時）、（ｃ）は同              じくＸ−Ｘ断面図（使用時）、（ｄ）は同じく斜視図である。
【図２】（ａ）は二本の支柱を軸材を介して基台に取り付けたファイル綴じ込み              用補助具の平面図、（ｂ）は同じくＹ−Ｙ断面図（通常時）、（ｃ）は同              じくＹ−Ｙ断面図（使用時）、（ｄ）は同じく斜視図である。
【図３】（ａ）は基台に分離収納されている支柱を、基台上に立てた状態にでき              るようにしたファイル綴じ込み用補助具の平面図、（ｂ）は同じくＺ−Ｚ              断面図（通常時）、（ｃ）は同じくＺ−Ｚ断面図（使用時）、（ｄ）は同              じく斜視図である。
【符号の説明】
【００２５】
１、１ａ、１ｂ、１ｃ・・・基台
２、２ａ、２ｂ、２ｃ・・・支柱
３ａ、３ｂ，３ｃ・・・・・収納部
４・・・・・凸部                        ５・・・・・凹部
６・・・・・止め部                      ７・・・・・磁石
８・・・・・軸受け部                    ９・・・・・軸部
１０・・・・・バネ材                    １１・・・・・バネ材取り付け補助部
１２・・・・・戻り防止部                １３・・・・・目盛り
１４・・・・・開口部                    １５・・・・・差し込み穴
１６・・・・・差し込み部                １７・・・・・面ファスナー
Ａ、Ａ・・・・定められた二の位置
【図１】
2005096321.tif 000003
【図２】
2005096321.tif 000004
【図３】
2005096321.tif 000005